(57)【特許請求の範囲】
【請求項１】
少なくとも一方面が粘着性を有する粘着性シートをロール状に巻回して形成した粘着性シートロールと、
その粘着性シートロールの下部に設けられ、両面が非粘着性である非粘着性シートをロール状に巻回して形成した非粘着性シートロールと、
相互に当接した一対のローラを有し、前記粘着性シートロールから繰り出された粘着性シートの粘着面と、前記非粘着性シートロールから繰り出された非粘着性シートの一方面とを前記一対のローラ間で接合せしめる加圧手段と、
被収容体が前記粘着性シートロール側へ移動することを規制し、前記被収容体が前記粘着性シートよりも先に下部の前記非粘着性シートに接触するように、前記被収容体を前記粘着性シートと前記非粘着性シートとの間に導く案内手段とを備えたことを特徴とするラミネート装置。
【請求項２】
少なくとも一方面が粘着性を有するシートをロール状に巻回して形成した粘着性シートロールと、
両面が非粘着性である非粘着性シートをロール状に巻回して形成した非粘着性シートロールと、
相互に当接した一対のローラを有し、前記粘着性シートロールから繰り出された粘着性シートの粘着面と、前記非粘着性シートロールから繰り出された非粘着性シートの一方面とを前記一対のローラ間で接合せしめる加圧手段と、
被収容体を案内して、前記粘着性シートと前記非粘着性シートとの間に導く案内手段とを備えてなり、
前記粘着性シートと前記非粘着性シートとの間に前記被収容体を収容するラミネート装置において、
前記粘着性シートロールと前記非粘着性シートロールとをカセットケース内に収容してなるシートカセットを備え、
前記案内手段は、前記カセットケースと一体的に形成され、前記被収容体が前記粘着性シートよりも先に前記非粘着性シートに接触するように、前記被収容体を前記粘着性シートと前記非粘着性シートとの間に導くことを特徴とするラミネート装置。
【発明の詳細な説明】
【０００１】
【発明の属する技術分野】
本発明は、２枚のシート体間に用紙媒体などの被収容体を挟み込んでシールするラミネート装置に関する。
【０００２】
【従来の技術】
従来の上記ラミネート装置を図４に示す。尚、同図は従来のラミネート装置の主要構成を示した側断面図である。
【０００３】
図４に示すように、このラミネート装置２１は、少なくとも一方面が粘着性を有する粘着性シートをロール状に巻回して形成した２つの粘着性シートロールＳ１，Ｓ３と、この各粘着性シートロールＳ１，Ｓ３を回転自在に支持する支持フレーム２５と、相互に当接（圧接）した一対の加圧ローラ２３，２３を有し、前記各粘着性シートロールＳ１，Ｓ３から繰り出された粘着性シートの粘着面同士を前記一対の加圧ローラ２３，２３間で接合せしめる加圧手段２２と、前記粘着性シートロールＳ１，Ｓ３間に設けられ、用紙媒体などの被収容体（図示せず）を前記接合部の粘着性シート間に案内する案内手段２６とを主要な構成として備えている。
【０００４】
また、前記案内手段２６は、所定の間隔をあけて上下に並設した板状の上部材２６ａと下部材２６ｂと備えてなるものであり、この下部材２６ｂの上面が、前記被収容体（図示せず）を前記接合部の粘着性シート間に案内する案内面２７となっている。尚、この案内面２７の案内方向は前記一対の加圧ローラ２３，２３の圧接部に向けられている。
【０００５】
そして、前記用紙媒体などの被収容体（図示せず）が挿入口２８から前記上部材２６ａ，下部材２６ｂ間に挿入されると、当該被収容体（図示せず）が前記案内面２７に沿って案内されて送出口２９から送出され、前記接合部の粘着性シート間であり、且つ前記一対の加圧ローラ２３，２３の圧接部に導かれ、その挿入側端部（前端部）が前記粘着性シートを介して前記加圧ローラ２３，２３の圧接部に当接し、これによって当該前端部が位置決めされる。
【０００６】
この状態で前記加圧ローラ２３，２３を矢示方向に回転させると、この加圧ローラ２３，２３によって前記粘着性シート及び被収容体（図示せず）が加圧されて相互に密着し、前記粘着性シート間に被収容体が収容され積層した１つのシート体Ｓに形成された（ラミネートされた）後、前記一対の加圧ローラ２３，２３の圧接部から送出される。
【０００７】
ついで、送出されたシート体Ｓは、その前後部又は前後部及び両側端部が所定の余白を残して、若しくは余白なしに切断され、最終的なラミネート物となる。
【０００８】
尚、前記２枚の粘着性シートのうちの一方に、非粘着性のシートが用いられる場合もあり、この場合には送出されたシート体Ｓの前後部又は前後部及び両側端部が所定の余白を残して切断され、最終的なラミネート物となる。
【０００９】
【発明が解決しようとする課題】
ところが、上述した従来のラミネート装置２１においては、以下のような問題があった。
【００１０】
即ち、従来のラミネート装置２１においては、被収容体（図示せず）を案内する前記案内手段２６の上部材２６ａと下部材２６ｂとの間隔が固定されているため、案内する被収容体（図示せず）が比較的薄いものである場合には、上部材２６ａ及び下部材２６ｂによる上下方向の規制が十分に働かず、被収容体（図示せず）の挿入の仕方によっては、当該被収容体（図示せず）の前端部が前記案内面２７位置よりも上下方向にずれた状態で前記送出口２９から送出され、当該被収容体（図示せず）の前端部が前記加圧ローラ２３，２３の圧接部に当接する前に前記粘着性シートと接触して、当該粘着性シートに貼着される結果、当該被収容体（図示せず）の前端部の位置決めを正確に行うことができないという問題生じるのである。特に、前記被収容体（図示せず）が腰のないものである場合には、その前端部が下方に垂れ気味となるので、このような問題を生じやすい。
【００１１】
尚、この問題はラミネートに用いられる２枚のシートの双方が粘着性を有するものである場合に限って起こるものではなく、一方が非粘着性シートの場合も同様に起こり得る問題である。
【００１２】
そして、十分な位置決めがなされないままに被収容体（図示せず）をラミネートすると、余白が区々なものとなったり、或いは被収容体（図示せず）が十分に被覆されていないものとなるといったように、得られるラミネート物が極めて体裁の悪いものとなる。
【００１３】
本発明は、以上のような問題点を解決すべくなされたものであって、被収容体の前端部を確実に加圧ローラの圧接部に導くことができ、同部において正確に位置決めすることができるラミネート装置の提供を目的とする。
【００１４】
【課題を解決するための手段及びその効果】
上記目的を達成するための本発明の請求項１に係る発明は、少なくとも一方面が粘着性を有する粘着性シートをロール状に巻回して形成した粘着性シートロールと、その粘着性シートロールの下部に設けられ、両面が非粘着性である非粘着性シートをロール状に巻回して形成した非粘着性シートロールと、相互に当接した一対のローラを有し、前記粘着性シートロールから繰り出された粘着性シートの粘着面と、前記非粘着性シートロールから繰り出された非粘着性シートの一方面とを前記一対のローラ間で接合せしめる加圧手段と、被収容体が前記粘着性シートロール側へ移動することを規制し、前記被収容体が前記粘着性シートよりも先に下部の前記非粘着性シートに接触するように、前記被収容体を前記粘着性シートと前記非粘着性シートとの間に導く案内手段とを備えたことを特徴とするラミネート装置を提供するものである。
【００１５】
この発明によれば、被収容体を前記案内手段の案内面に沿って送り出すと、当該被収容体は当該案内面に沿って前進し、その前端部が前記接合部の粘着性シートと非粘着性シートとの間に導かれる。その際、前記案内手段は、被収容体が前記粘着性シートロール側へ移動することを規制し、前記被収容体が前記粘着性シートよりも先に下部の前記非粘着性シートに接触するように、前記被収容体を前記粘着性シートと前記非粘着性シートとの間に導くようになっているので、前記被収容体の前端部は、まず、当該非粘着性シートに当接する。
【００１６】
そして、更に前記被収容体を前方に送り出すと、前記被収容体の前端部は前記非粘着性シート上を滑動し、これに沿って前方に移動して、前記接合部の粘着性シートと非粘着性シートとの間に至り、同部において位置決めされる。
【００１７】
ついで、前記一対のローラを送出方向に回転させると、このローラによって前記粘着性シート，非粘着性シート及び被収容体が加圧されて相互に密着し、前記粘着性シートと非粘着性シートとの間に被収容体が収容され積層した１つのシート体に形成された（ラミネートされた）後、前記一対のローラの圧接部から送出される。
【００１８】
このように、この発明によれば、前記案内手段は、被収容体が前記粘着性シートロール側へ移動することを規制し、前記被収容体が前記粘着性シートよりも先に下部の前記非粘着性シートに接触するように、前記被収容体を前記粘着性シートと前記非粘着性シートとの間に導くようになっているので、粘着性シートと非粘着性シートとの接合部に至る前に、被収容体の前端部が粘着性シートと接触するという不都合を有効に防止することができ、被収容体の前端部の位置決めを正確に行うことができる。その結果、得られるラミネート物を体裁の良いものとすることができる。
【００１９】
また、本発明の請求項２に係る発明は、少なくとも一方面が粘着性を有するシートをロール状に巻回して形成した粘着性シートロールと、両面が非粘着性である非粘着性シートをロール状に巻回して形成した非粘着性シートロールと、相互に当接した一対のローラを有し、前記粘着性シートロールから繰り出された粘着性シートの粘着面と、前記非粘着性シートロールから繰り出された非粘着性シートの一方面とを前記一対のローラ間で接合せしめる加圧手段と、被収容体を案内して、前記粘着性シートと前記非粘着性シートとの間に導く案内手段とを備えてなり、前記粘着性シートと前記非粘着性シートとの間に前記被収容体を収容するラミネート装置において、前記粘着性シートロールと前記非粘着性シートロールとをカセットケース内に収容してなるシートカセットを備え、前記案内手段は、前記カセットケースと一体的に形成され、前記被収容体が前記粘着性シートよりも先に前記非粘着性シートに接触するように、前記被収容体を前記粘着性シートと前記非粘着性シートとの間に導くことを特徴とするものである。
【００２０】
上述したように、被収容体の前端部が、粘着性シート側に偏って案内されると、前記前端部が前記接合部に至る前に、粘着性シートと接触して当該粘着性シートに貼着されるため、前記被収容体の前端部を正確に位置決めすることができないという問題生じる。
【００２１】
この発明によれば、前記案内手段は、前記被収容体が前記粘着性シートよりも先に前記非粘着性シートに接触するように、前記被収容体を前記粘着性シートと前記非粘着性シートとの間に導くようにしているので、請求項１に係る発明と同様に、粘着性シートと非粘着性シートとの接合部に至る前に、被収容体の前端部が粘着性シートと接触するという不都合を有効に防止することができ、被収容体の前端部の位置決めを正確に行うことができる。その結果、得られるラミネート物を体裁の良いものとすることができる。
【００２２】
【発明の実施の形態】
以下、本発明の具体的な実施形態について添付図面に基づき説明する。
【００２３】
（第１の実施形態）
まず、本発明の第１の実施形態について図１に基づき説明する。尚、図１は第１の実施形態に係るラミネート装置の主要構成を示した側断面図である。
【００２４】
同図に示すように、このラミネート装置１は、ラミネート用のシートを格納したシートカセット４と、相互に当接（圧接）した一対の加圧ローラ３，３を有する加圧手段２と、前記加圧ローラ３，３を矢示方向に回転させる駆動手段（図示せず）とを備えてなるものである。
【００２５】
前記シートカセット４は、少なくとも一方面が粘着性を有する粘着性シートをロール状に巻回して形成した粘着性シートロールＳ１と、両面が非粘着性である非粘着性シートをロール状に巻回して形成した非粘着性シートロールＳ２と、この粘着性シートロールＳ１及び非粘着性シートロールＳ２を回転自在に格納したカセットケース５とからなる。また、カセットケース５は離合可能な２つの部材５ａ，５ｂからなり、部材５ａに挿入口７が設けられ、部材５ｂに送出口８が設けられている。尚、図中、９は前記送出口８を開閉するシャッタであり、前記加圧手段２は前記送出口８側に設けられている。
【００２６】
粘着性シートロールＳ１から繰り出された粘着性シート、及び非粘着性シートロールＳ２から繰り出された非粘着性シートがそれぞれ前記送出口８から送出されて加圧ローラ３，３の当接部に至り、同部において粘着性シートの粘着面と非粘着性シートの一方面とが接合されるようになっている。
【００２７】
また、前記カセットケース５の部材５ａには前記挿入口７から送出口８に向けて延出したガイド部６が設けられており、前記挿入口７から挿入された用紙媒体などの被収容体（図示せず）がこのガイド部６の案内面６ａに沿って案内され、前記送出口８から送出されて、前記接合部の粘着性シートと非粘着性シートとの間に導かれるようになっている。
【００２８】
尚、図示するように、前記案内面６ａの位置は、前記加圧ローラ３，３の当接部に対し、距離Ｘだけ非粘着性シートロール側に偏って設けられており、当該案内面６ａの案内方向は、前記非粘着性シートロールＳ２から前記接合部に繰り出された非粘着性シートと交差する方向に向けられている。
【００２９】
そして、前記被収容体（図示せず）を挿入口７から挿入すると、当該被収容体（図示せず）はガイド部６の案内面６ａに沿って案内され、前記送出口８から送出されて、前記接合部の粘着性シートと非粘着性シートとの間に導かれる。
【００３０】
その際、案内面６ａの案内方向を、前記非粘着性シートロールＳ２から前記接合部に繰り出された非粘着性シートと交差する方向に向けているので、前記被収容体（図示せず）の前端部は、まず、この非粘着性シートに当接し、ついで、非粘着性シート上を滑動し、これに沿って前方に移動して、前記接合部の粘着性シートと非粘着性シートとの間に至り、同部において位置決めされる。
【００３１】
しかる後、前記駆動手段（図示せず）を駆動して前記加圧ローラ３，３を矢示方向（送出方向）に回転させると、この加圧ローラ３，３によって前記粘着性シート，非粘着性シート及び被収容体（図示せず）が加圧されて相互に密着し、前記粘着性シートと非粘着性シートとの間に被収容体（図示せず）が収容され積層した１つのシート体Ｓに形成された（ラミネートされた）後、加圧ローラ３，３の圧接部から送出される。
【００３２】
このように、このラミネート装置１によれば、前記案内面６ａの案内方向を、非粘着性シートロールＳ２から接合部に繰り出された非粘着性シートと交差する方向に向けているので、粘着性シートと非粘着性シートとの接合部に至る前に、被収容体（図示せず）の前端部が粘着性シートと接触するという不都合を防止することができ、被収容体（図示せず）の前端部の位置決めを正確に行うことができる。その結果、得られるラミネート物を体裁の良いものとすることができる。
【００３３】
尚、本例では、前記案内面６ａの位置を、前記加圧ローラ３，３の当接部に対して、全体的に距離Ｘだけ非粘着性シートロール側に偏るように設けたが、案内面６ａの案内方向が、前記粘着性シートロールＳ２から前記接合部に繰り出された非粘着性シートと交差する方向に向けられている点が重要であり、この意味で、前記ガイド部６を粘着性シートロールＳ２側に傾斜させることにより、案内面６ａの案内方向が、前記粘着性シートロールＳ２から前記接合部に繰り出された非粘着性シートと交差する方向に向くようにしても良い。
【００３４】
（第２の実施形態）
つぎに、本発明の第２の実施形態について図２に基づき説明する。尚、図２は第２の実施形態に係るラミネート装置の主要構成を示した側断面図である。
【００３５】
同図に示すように、本例のラミネート装置１０は、ラミネートに用いられる２枚のシートの双方が粘着性を有するものである点、押圧部材１１を設けた点、案内面６ａの案内方向を加圧ローラ３，３の当接部に向けた点、及び送出口８を開閉する上側シャッタ９ａ，下側シャッタ９ｂを設けた点が、上述の第１の実施形態に係るラミネート装置１と異なり、その他の構成についてはこのラミネート装置１と同様である。従って、ラミネート装置１と同じ構成部分については同一の符号を付してその詳しい説明を省略する。
【００３６】
図２に示すように、このラミネート装置１０のカセットケース５には、少なくとも一方面が粘着性を有する粘着性シートをロール状に巻回して形成した２つの粘着性シートロールＳ１，Ｓ３がそれぞれ格納されており、この各粘着性シートロールＳ１，Ｓ３から繰り出された粘着性シートがそれぞれ前記送出口８から送出されて加圧ローラ３，３の当接部に至り、同部において各粘着性シートの粘着面同士が接合されるようになっている。
【００３７】
また、カセットケース５の部材５ａには、挿入口７側であり、且つ粘着性シートロールＳ３側であるケース内面に一方端部が固設され、他方端部がガイド部６の案内面６ａに当接してこれを押圧する押圧部材１１が設けられている。この押圧部材１１は前記案内面６ａを押圧し得るものであれば、どのようなものでも良く、例えば、プラスチックシート，板ばね若しくはスポンジのような弾性体などを用いることができる。尚、上述したように、前記案内面６ａの案内方向は加圧ローラ３，３の当接部に向けられている。
【００３８】
そして、前記被収容体（図示せず）を挿入口７から挿入すると、当該被収容体（図示せず）は押圧部材１１によって案内面６ａに押圧されつつ当該案内面６ａに沿って移動し、前記送出口８から送出されて前記接合部の粘着性シート間に導かれる。
【００３９】
上述したように、この２枚の粘着性シートの接合部に案内される前記被収容体（図示せず）の前端部が、いずれの粘着性シート側に偏っても、当該前端部が前記接合部に至る前に、いずれかの粘着性シートと接触して当該粘着性シートに貼着されて、被収容体（図示せず）の前端部を正確に位置決めすることができないという問題生じる。
【００４０】
このラミネート装置１０によれば、被収容体（図示せず）を前記ガイド部６の案内面６ａに沿って送り出す際に、押圧部材１１によって当該被収容体（図示せず）を前記案内面６ａに対し押圧するようにしているので、送り出される被収容体（図示せず）の前端部のふらつきを極力抑制することができ、当該前端部を前記粘着性シートの接合部に正確に案内することができる。
【００４１】
しかる後、前記駆動手段（図示せず）を駆動して前記加圧ローラ３，３を矢示方向（送出方向）に回転させると、この加圧ローラ３，３によって前記粘着性シート及び被収容体（図示せず）が加圧されて相互に密着し、前記粘着性シート間に被収容体（図示せず）が収容され積層した１つのシート体Ｓに形成された（ラミネートされた）後、加圧ローラ３，３の圧接部から送出される。
【００４２】
このように、このラミネート装置１０によれば、使用するシートの双方が粘着性を有するものであり、そのために被収容体（図示せず）の前端部を正確に位置決めし難いラミネートにおいても、当該前端部を前記非粘着性シートの接合部に正確に案内して、これを正確に位置決めすることができる。その結果、得られるラミネート物を体裁の良いものとすることができる。
【００４３】
尚、前記押圧部材１１を設け得る対象は、本例のように、使用されるシートの双方が粘着性を有するものに限られず、その一方が非粘着性のシートである場合にも適用することができ、また、図３に示すように、上述の第１の実施形態に係るラミネート装置１に設けても良い。これらの場合にも本例と同様の効果が得られる。
【００４４】
以上、本発明の実施形態について説明したが、本発明の具体的な態様がこれに限られるものでないことは言うまでもないことである。
【図面の簡単な説明】
【図１】  本発明の第１の実施形態に係るラミネート装置の主要構成を示す側断面図である。
【図２】  本発明の第２の実施形態に係るラミネート装置の主要構成を示す側断面図である。
【図３】  第１の実施形態の変形例に係るラミネート装置の主要構成を示す側断面図である。
【図４】  従来のラミネート装置の主要構成を示す側断面図である。
【符号の説明】
１    ラミネート装置
２    加圧手段
３    加圧ローラ
４    シートカセット
５    カセットケース
６    ガイド部
６ａ  案内面
７    挿入口
８    送出口
９    シャッタ
９ａ  上側シャッタ
９ｂ  下側シャッタ
１０  ラミネート装置
１１  押圧部材
【図１】
0004192288.tif 000002
【図２】
0004192288.tif 000003
【図３】
0004192288.tif 000004
【図４】
0004192288.tif 000005